(57)【特許請求の範囲】
【請求項１】
胴体１の上翼板２または下翼板３の一方の両側に形成したガイドフランジ１２の長手方向の内側面に沿って、線条ファスナーエレメント２０の反転部２５と当接するエレメント押え面１４を設け、押え面１４は前端からフランジ１２の屈曲部１８の近傍に至るまでは当該翼板２、３の内面と交わる斜面１５に形成し、屈曲部１８の近傍から後口１７にかけては直立壁面１３上に押え面１４を形成して反転部２５をガイド可能に形成してなることを特徴とする線条スライドファスナー用スライダー。
【請求項２】
フランジ１２の内側面に設けた斜面１５は、フランジ１２の前端側が幅広く形成し、屈曲部１８において次第に幅狭くなる形に形成して直立壁面１３上の押え面１４に連接してなる請求項１記載の線条スライドファスナー用スライダー。
【請求項３】
案内柱４から後口１７にかけて上翼板２または下翼板３の中央にエレメント押え面１１を形成し、左右のフランジ１２に設ける直立壁面１３は平行状に対設してガイド溝１９を形成し、斜面１５は案内柱４から線条ファスナーエレメント２０の噛合交点Ｐまでの範囲に対向状に形成してなる請求項１記載の線条スライドファスナー用スライダー。
【請求項４】
線条ファスナーエレメント２０は、熱可塑性樹脂製のコイル状ファスナーエレメント２１から形成し、該ファスナーエレメント２１をファスナーテープ２７の一側縁上に取り付けてなる請求項１記載の線条スライドファスナー用スライダー。
【請求項５】
線条ファスナーエレメント２０は、熱可塑性樹脂製のジグザグ状ファスナーエレメント２２から形成し、該ファスナーエレメント２２をファスナーテープ２７の一側縁上に取り付けてなる請求項１記載の線条スライドファスナー用スライダー。
【発明の詳細な説明】
【０００１】
【発明の属する技術分野】
この発明は、線条スライドファスナー用スライダーであって、スライダーのフランジに改良を加え、特に熱可塑性樹脂のモノフィラメントからコイル状またはジグザグ状に成形した線条ファスナーエレメントをファスナーテープの一側縁上に取り付けたファスナーチェンに適した線条スライドファスナー用スライダーに関するものである。
【０００２】
【従来の技術】
従来のこの種の線条スライドファスナー用スライダーは、スライダーの上翼板の両側に設けたガイドフランジの長手方向の全長にわたって内側隅角にファスナーエレメントの反転部を載置し、かつガイドできる段差状のエレメント押え面を設けることが知られている。
【０００３】
また、図１１に示すように上翼板の両側に設けたガイドフランジの長手方向の内側隅角に沿って、横断面形状が段差状に突出したエレメント押えを設け、このエレメント押えの前端の端部に、前端より後口側に向って次第に高くなってエレメント押えを形成する面に連続するように傾斜する面取り部を設けた線条スライドファスナー用スライダーが実開昭５７−７３１３号公報に開示されている。
【０００４】
【発明が解決しようとする課題】
前項で述べたスライダーのガイドフランジの全長にわたって段差状のエレメント押えを設けたスライダーは、ファスナーチェンを閉鎖する際、ファスナーチェンに横引き荷重が加わると、簡単に線条ファスナーエレメントの反転部がエレメント押えから、ずれ落ちて左右のファスナーエレメントが噛み合わずチェン割れ現象を起こす。
【０００５】
また図１１に示すスライダーも、上翼板の両側に設けたコイル状ファスナーエレメントをガイドするフランジの長手方向の内側隅角に沿って横断面形状が段差状に突出したエレメント押えを設け、このエレメント押えの前端の端部に後口側へ向って次第に高くなるエレメント押えに連続する傾斜する面取り部を設けた形態であり、エレメント押えはフランジの前端から後口にかけての全長に横断面形状が段差状、すなわちエレメント押えの端縁に直立壁面が形成されており、この形態であるとファスナーチェンを閉鎖する際、ファスナーチェンに横引き荷重が加わると、やはりコイル状ファスナーエレメントの反転部がエレメント押えから外れ、直立壁面内に落ち込み、ファスナーチェンがＶ字状を呈し、左右のファスナーエレメントが噛み合わずチェン割れ現象を起こし、かつスライダーの摺動操作がきわめて重く円滑な操作ができないなど問題点がある。
【０００６】
この発明は、上述の問題点を考慮して発明されたものであり、この発明のうち請求項１記載の発明は、線条スライドファスナーにおけるファスナーチェンをスライダーによって閉鎖する際、ファスナーチェンに横引き荷重が加わっても、ファスナーエレメントの噛合頭部が噛み合う前に左右のファスナーエレメントの反転部を容易に斜面上を滑動させて正常な状態に誘導し、左右のファスナーエレメントの噛合頭部を的確に噛み合わせることができ、スライダーの閉鎖操作が軽快に行え、チェン割れ現象を惹起しない線条スライドファスナー用スライダーを提供することが主たる目的である。
【０００７】
請求項２記載の発明は、請求項１記載の発明の目的に加え、線条スライドファスナーにおけるファスナーチェンをスライダーによって閉鎖する際、ファスナーチェンに横引き荷重が加わっても容易にチェン割れ現象を惹起しないエレメント押え面を備え、円滑な閉鎖操作ができる線条スライドファスナー用スライダーを提供することが目的である。
【０００８】
請求項３記載の発明は、請求項１記載の発明の目的に加え、線条スライドファスナーにおけるファスナーチェンをスライダーによって閉鎖する際、ファスナーチェンに横引き荷重が加わっても容易にチェン割れ現象を惹起しない具体的な機構を備え、円滑な閉鎖操作ができる線条スライドファスナー用スライダーを提供することが目的である。
【０００９】
請求項４記載の発明は、請求項１記載の発明の目的に加え、線条スライドファスナーにおける線条ファスナーエレメントを熱可塑性樹脂製のコイル状ファスナーエレメントから形成し、このファスナーエレメントをファスナーテープの一側縁上に取り付けたファスナーチェンに適した線条スライドファスナー用スライダーを提供することが目的である。
【００１０】
請求項５記載の発明は、請求項１記載の発明の目的に加え、線条スライドファスナーにおける線条ファスナーエレメントを熱可塑性樹脂製のジグザグファスナーエレメントから形成し、このファスナーエレメントをファスナーテープの一側縁上に取り付けたファスナーチェンに適した線条スライドファスナー用スライダーを提供することが目的である。
【００１１】
【課題を解決するための手段】
前記の目的を達成するため、この発明のうち請求項１記載の発明は、線条スライドファスナー用スライダーにおける胴体１の上翼板２または下翼板３の一方の両側に形成したガイドフランジ１２の長手方向の内側面に沿って、線条ファスナーエレメント２０の反転部２５と当接し載置できるエレメント押え面１４を設け、押え面１４はフランジ１２の前端からフランジ１２の屈曲部１８の近傍に至るまでは、上翼板２または下翼板３の内面と交わる斜面１５に形成し、フランジ１２の屈曲部１８の近傍から後口１７にかけては、上翼板２または下翼板３から立ち上る直立壁面１３を設け、この直立壁面１３の上側に押え面１４を形成して線条ファスナーエレメント２０の反転部２５をガイドできるように形成した線条スライドファスナー用スライダーを主な構成とするものである。
【００１２】
請求項２記載の発明は、請求項１記載の発明の構成に加え、スライダー胴体１の上翼板２または下翼板３に形成したフランジ１２の内側面に設けた斜面１５は、フランジ１２の前端側が幅広く形成し、屈曲部１８において次第に幅狭くなる形に形成し、屈曲部１８の近傍における直立壁面１３の上側に設けた押え面１４に連接した線条スライドファスナー用スライダーである。
【００１３】
請求項３記載の発明は、請求項１記載の発明の構成に加え、スライダー胴体１の案内柱４から後口１７にかけて、フランジ１２を設けた側の上翼板２または下翼板３の中央にエレメント押え面１１を形成し、左右のフランジ１２に設ける直立壁面１３は平行状に対設してエレメント押え面１１との間にガイド溝１９を形成し、フランジ１２に設ける斜面１５は案内柱４から線条ファスナーエレメント２０の噛合交点Ｐまでの範囲にフランジ１２に対向状に形成した線条スライドファスナー用スライダーである。
【００１４】
請求項４記載の発明は、請求項１記載の発明の構成に加え、線条ファスナーエレメント２０は、熱可塑性樹脂製のモノフィラメントからコイル状ファスナーエレメント２１を形成し、このコイル状ファスナーエレメント２１をファスナーテープ２７の一側縁上に取付糸２６によって取り付けた線条スライドファスナー用スライダーである。
【００１５】
請求項５記載の発明は、請求項１記載の発明の構成に加え、線条ファスナーエレメント２０は、熱可塑性樹脂製のモノフィラメントからジグザグ状ファスナーエレメント２２を形成し、このジグザグ状ファスナーエレメント２２をファスナーテープ２７の一側縁上に取付糸２６によって取り付けた線条スライドファスナーである。
【００１６】
【発明の実施の形態】
以下、この発明の線条スライドファスナー用スライダーの実施の形態について、図面を参照しながら具体的に説明する。
【００１７】
線条スライドファスナー用スライダーは、図１〜６に示す第１実施例のスライダーのように、スライダーの胴体１は上翼板２と下翼板３とを案内柱４で上下連結し、上翼板２の上面における前後に、自動停止機構９のスプリング６を取り付けるための空隙を備えた取付柱５を立設し、この取付柱５内に一端に停止爪７を屈設したＵ字状のスプリング６を内装して固定し、停止爪７は上翼板２の内面中央に形成したエレメント押え面１１に穿孔した爪孔１０から胴体１内に突出させ、前後の取付柱５間でスプリング６を胴体１との間に引手８の枢軸を介在させて自動停止機構９を完成し、引手８の操作によって停止爪７を胴体１内に出没可能に形成する。
【００１８】
胴体１の下翼板３には、両側に線条ファスナーエレメント２０をガイドするためのガイドフランジ１２を設け、このフランジ１２は内面中央部分に横断面形状が円弧状を呈し、かつ線条ファスナーエレメント２０の反転部２５を戴置してガイドできる押え面１４を設ける、この押え面１４の端縁には下翼板３に向けて垂直状の直立壁面１３を垂設する。
【００１９】
フランジ１２の肩口１６側の前端から屈曲部１８の近傍にかけての範囲、すなわち案内柱４から左右の線条ファスナーエレメント２０の噛合頭部２３が噛み合う噛合交点Ｐまでの範囲には、直立壁面１３を設けることなく下翼板３上から押え面１４を含めて傾斜する斜面１５を対向状に形成する。この斜面１５は線条ファスナーエレメント２０の反転部２５が滑動できる形に形成し、斜面１５は屈曲部１８付近で直立壁面１３のある押え面１４へ連続して吸収され、線条ファスナーエレメント２０の反転部２５をスムーズに押え面１４へガイドする。
【００２０】
また下翼板３の内面中央に案内柱４から後口１７にかけて隆起し、線条ファスナーエレメント２０の噛合頭部２３をガイドするエレメント押え面１１が形成され、この押え面１１と直立壁面１３との間に線条ファスナーエレメント２０の脚部２４をファスナーテープ２７に取り付けた、たとえば二重環縫によって縫成した縫糸すなわち取付糸２６を誘導できるガイド溝１９が凹設されている。
【００２１】
スライダーの胴体１は、主として亜鉛合金またはアルミニウム合金などの金属をダイカスト成形して作製する。またスライダーに自動停止機構９を備えない自由スライダーなどには、ポリアセタール、ポリアミド、ポリプロピレン、ポリプチレンテレフタレートなどの熱可塑性樹脂、またこれらの樹脂に耐摩耗性強化材を加えて射出成形手段によって成形してもよい。
【００２２】
以上説明したスライダーは、図４に示すようにスライダーの胴体１にコイル状ファスナーエレメント２１を挿通し、スライダーをファスナーチェンの閉鎖方向へ摺動させると、コイル状ファスナーエレメント２１の反転部２５が図５に示すように次々とガイドフランジ１２の斜面１５へ誘導され、図４に示す噛合頭部２３の噛合交点Ｐにおいては反転部２５は図６に示すようにフランジ１２の押え面１４に載置誘導される。
【００２３】
従って、図４に示すようにフランジ１２の前端から噛合交点Ｐまでの間で、コイル状ファスナーエレメント２１に横引き荷重が加わった場合、たとえば図５に示すようにファスナーテープ２７の横方向への引っ張りに対し、コイル状ファスナーエレメント２１は噛合頭部２３が浮き上がり、コイル状ファスナーエレメント２１は起こされるが、コイル状ファスナーエレメント２１の反転部２５は斜面１５によって上方へ徐々に滑動し、そして噛合交点Ｐ以降は図６に示すように既定の位置へ誘導し、正常な噛み合いがなされ、ファスナーチェンにチェン割れ現象を惹起することがなく開閉操作がスムーズに行える。
【００２４】
図７、８に示す第２実施例のスライダーは、胴体１の上翼板２の両側に線条ファスナーエレメント２０をガイドするフランジ１２を設けたものであり、上翼板２の上面には前例と同様に取付柱５を立設して自動停止機構９を装備し、上翼板２の裏面は図８に示すように、上翼板２の長手方向中央に案内柱４から後口１７にかけて線条ファスナーエレメント２０の噛合頭部２３をガイドする押え面１１を形成し、上翼板２の両側には線条ファスナーエレメント２０の反転部２５をガイドするフランジ１２を設ける。
【００２５】
フランジ１２の内面中央部分に横断面形状が円弧状を呈し、線条ファスナーエレメント２０の反転部２５を載置してガイドできる押え面１４を設ける。この押え面１４の端縁には上翼板２に向けて垂直状の直立壁面１３を垂設し、フランジ１２の肩口１６側の前端から屈曲部１８、すなわち案内柱４から左右の線条ファスナーエレメント２０の噛合頭部２３が噛み合う噛合交点Ｐまでの範囲に、直立壁面１３を形成することなく上翼板２上から押え面１４を含めて傾斜する斜面１５を対向状に形成する。
【００２６】
斜面１５は線条ファスナーエレメント２０の反転部２５が滑動できるように形成し、斜面１５は屈曲部１８の近傍で直立壁面１３を備えた押え面１４へ連続させて線条ファスナーエレメント２０の反転部２５をスムーズに押え面１４へ誘導する。また上翼板２の内面中央に案内柱４から後口１７にかけて隆起するエレメント押え面１１を設け、この押え面１１の中心に自動停止機構９の停止爪７が出没できる爪孔１０が穿設されている。そして押え面１１と直立壁面１３との間に線条ファスナーエレメント２０の脚部２４をファスナーテープ２７に取り付けた取付糸２６を誘導できるガイド溝１９が左右に凹設されている。なおこのスライダーの使用態様は前例のスライダーと全く同一である。
【００２７】
線条ファスナーエレメント２０としてコイル状ファスナーエレメント２１に代えてジグザグ状ファスナーエレメント２２を用いることも可能である。たとえば図９、１０に示すように前記第２実施例のスライダーの胴体１に線条ファスナーエレメント２０としてジグザグ状ファスナーエレメント２２を挿通してファスナーチェンを完成させる。
【００２８】
このスライダーもスライダー胴体１に挿通したファスナーチェンに横引き荷重が加わった場合、ジグザグ状ファスナーエレメント２２は図９に示すように噛合頭部２３側が起こされ、この状態でスライダーを閉鎖方向へ摺動させると、フランジ１２の前端から屈曲部１８にかけて反転部２５が斜面１５を滑動し、屈曲部１８の近傍で反転部２５は直立壁面１３を備えた押え面１４、たとえば図１０に示す状態に誘導され、ファスナーチェンはチェン割れ現象を惹起することなく左右の噛合頭部２３が噛み合った正常なジグザグ状のファスナーチェンが得られる。
【００２９】
【発明の効果】
この発明の線条スライドファスナー用スライダーは、以上説明したとおりの構成であり、この構成によって下記の効果を奏する。
【００３０】
この発明のうち請求項１記載の発明は、胴体の上翼板または下翼板の一方の両側に形成したフランジの長手方向の内側面に沿って、線条ファスナーエレメントの反転部と当接するエレメント押え面を設け、押え面は前端からフランジの屈曲部の近傍に至るまでは当該翼板２、３の内面と交わる斜面に形成し、屈曲部の近傍から後口にかけては直立壁面上に押え面を形成して反転部をガイド可能に形成したことによって、線条ファスナーチェンをスライダーにより閉鎖する際、ファスナーチェンに横引き荷重が加わっても、左右のファスナーエレメントが噛合前に反転部が斜面を滑動して既定の押え面へ容易に誘導し、ファスナーエレメントを正常な噛合状態に容易に矯正することができ、チェン割れ現象を防ぎ、円滑な閉鎖操作が行える効果がある。
【００３１】
請求項２記載の発明は、請求項１記載の発明の効果に加え、フランジの内側面に設けた斜面は、フランジの前端側が幅広く形成し、屈曲部において次第に幅狭くなる形に形成して直立壁面上の押え面に連接したことによって、線条ファスナーチェンをスライダーにより閉鎖する際、ファスナーチェンに横引き荷重が加わっても容易にチェン割れ現象を惹起することなく、ファスナーエレメントの反転部を的確に誘導し、円滑な閉鎖操作が行える効果がある。
【００３２】
請求項３記載の発明は、請求項１記載の発明の効果に加え、案内柱から後口にかけて上翼板または下翼板の中央にエレメント押え面を形成し、左右のフランジに設ける直立壁面は平行状に対設してガイド溝を形成し、斜面は案内柱からファスナーエレメントの噛合交点までの範囲に対向状に形成したことによって、ファスナーエレメントを取り付けた取付糸を容易に保護し、ファスナーエレメントの噛合直前に設けた斜面により、チェン割れ現象を的確に防ぐことができる効果がある。
【００３３】
請求項４および５記載の発明は、それぞれ請求項１記載の発明の効果に加え線条ファスナーエレメントは、熱可塑性樹脂製のコイル状ファスナーエレメント、またはジグザグ状ファスナーエレメントから形成し、ファスナーエレメントをファスナーテープの一側縁上に取り付けたことによって、ファスナーエレメントにコイル状ファスナーエレメントまたはジグザグ状ファスナーエレメントを用い、チェン割れ現象をより効果的に防ぐことができるファスナーチェンに仕上げることができる効果があるなど、この発明が奏する効果はきわめて顕著である。
【図面の簡単な説明】
【図１】第１実施例の線条スライドファスナー用スライダーの側面図である。
【図２】同上スライダーの図１におけるＡ−Ａ線断面図である。
【図３】同上スライダーの図２におけるスライダーの斜視図である。
【図４】同上スライダーの図２におけるスライダーにコイル状ファスナーエレメントを挿通した状態を示す断面図である。
【図５】同上スライダーにファスナーチェンを挿通した状態で図２におけるＢ−Ｂ線断面図である。
【図６】同上スライダーにファスナーチェンを挿通した状態で図２におけるＣ−Ｃ線断面図である。
【図７】第２実施例の線条スライドファスナー用スライダーの側面図である。
【図８】同上スライダーの図７におけるＤ−Ｄ線断面図である。
【図９】同上スライダーにジグザグ状ファスナーチェンを挿通し、図８のＥ−Ｅ線で切断した状態を示す断面図である。
【図１０】同上スライダーで図８のＦ−Ｆ線で切断した状態を示す断面図である。
【図１１】公知のスライダーの要部の斜視図である。
【符号の説明】
１            胴体
２            上翼板
３            下翼板
４            案内柱
７            停止爪
９            自動停止機構
１１            押え面（噛合頭部）
１２            フランジ
１３            直立壁面
１４            押え面（反転部）
１５            斜面
１７            後口
１８            屈曲部
１９            ガイド溝
２０            線条ファスナーエレメント
２１            コイル状ファスナーエレメント
２２            ジグザグ状ファスナーエレメント
２５            反転部
２６            取付糸
２７            ファスナーテープ
Ｐ            噛合交点
【図１】
0003618288.tif 000002
【図２】
0003618288.tif 000003
【図３】
0003618288.tif 000004
【図４】
0003618288.tif 000005
【図５】
0003618288.tif 000006
【図６】
0003618288.tif 000007
【図７】
0003618288.tif 000008
【図８】
0003618288.tif 000009
【図９】
0003618288.tif 000010
【図１０】
0003618288.tif 000011
【図１１】
0003618288.tif 000012